(57)【要約】【課題】突っ張り棒の架設角度を架設する場所の条件や状況に応じて任意に選択することができる入り隅コーナーへの突っ張り棒の取付具を提供する。【解決手段】突っ張り棒２の端部を抜き差し自在に保持するための支持部３と、この支持部３を止着具１４によって壁面ａに固定する固定部４、５とからなり、前記支持部３が、突っ張り棒２の端部が納まる間隔で上下に対向する対向壁６、７と、両対向壁６、７間に設けられ、突っ張り棒２の端面を受け面８で当接支持する受圧壁９で、突っ張り棒２の端部出し入れ側が開放した容器状に形成され、前記受圧壁９の受け面８が、前記支持部３の開放面に対し、対向壁６、７の面方向に沿って凹入する曲面になっている。【選択図】図４
2017185039.tif 000002
【特許請求の範囲】
【請求項１】
入り隅コーナの隣接する壁面にそれぞれ固定し、突っ張り棒の両端を支持することにより、前記入り隅コーナの隣接する壁面間に突っ張り棒を架設するための取付具において、前記突っ張り棒の端部を抜き差し自在に保持するための支持部と、この支持部を止着具によって壁面に固定する固定部とからなり、前記支持部が、突っ張り棒の端部が納まる間隔で上下に対向する対向壁と、両対向壁間に設けられ、突っ張り棒の端面を受け面で当接支持する受圧壁で、突っ張り棒の端部出し入れ側が開放した容器状に形成され、  
前記受圧壁の受け面が、前記支持部の開放面に対し、対向壁の面方向に沿って凹入する曲面になっていることを特徴とする入り隅コーナーへの突っ張り棒の取付具。
【請求項２】
上記支持部と固定部は、壁面に対して重ねる座面が同一面に形成され、前記支持部の対向壁は突っ張り棒の端部出し入れ側が傾斜辺縁となる直角三角形となり、この両対向壁間に設けられた受圧壁は、前記三角形の傾斜辺縁における両端を結ぶように、対向壁の面方向に沿って凹入する円弧状に形成され、その受け面は単一半径の曲面になっていることを特徴とする請求項１に記載の入り隅コーナーへの突っ張り棒の取付具。
【請求項３】
上記固定部は、支持部に対して対向壁の面方向に沿う両端に連ねて設けられ、両固定部にはそれぞれ壁面に突き刺す止着具の挿通孔が形成され、何れか一方又は両方の固定部における挿通孔は、座面に対し、突っ張り棒の端部出し入れ方向に沿って傾斜するように設けられていることを特徴とする請求項１又は２に記載の入り隅コーナーへの突っ張り棒の取付具。
【発明の詳細な説明】
【技術分野】
【０００１】
この発明は、入り隅コーナの隣接する壁面間に突っ張り棒を斜めに架設するために用いる、入り隅コーナーへの突っ張り棒の取付具に関する。
【背景技術】
【０００２】
例えば、室内空間を利用してタオルやハンガーなどを吊すことができるようにするため、伸長方向に付勢力をもって突っ張り棒を壁面間に架設することは広く一般に行われている。
【０００３】
この場合、突っ張り棒を対面する平行の壁面間に架設するだけでなく、室内の随所に存在する入り隅コーナの空間を有効に利用して、入り隅コーナの隣接する直角の壁面間に突っ張り棒を斜めに架設したいという場合があり、このような要望に応えるため、入り隅コーナに突っ張り棒を斜めに架設することのできる取付具が既に提案されている。
【０００４】
従来、突っ張り棒を斜めに架設するため取付具には、その構造上から、突っ張り棒の両端に壁面に固定するための取付具を設けた突っ張り棒一体タイプと、突っ張り棒と別部材となり、壁面に固定した状態で突っ張り棒を架設する別体タイプがある。
【０００５】
先ず、前者の突っ張り棒一体タイプは、内蔵したスプリングで伸縮管に伸長方向の付勢力を与えて突っ張り棒とし、この突っ張り棒の両端に壁面へ固定するための取付具を設け、両取付具の壁面への当接面を突っ張り棒の伸縮方向に対して４５°の相反する傾斜面とし、この傾斜面に壁面への摩擦部材を取り付けた構造となっており、突っ張り棒を収縮させた状態で入り隅コーナの隣接する直角の壁面間に斜めの配置で臨ませ、突っ張り棒の伸長途中で両端の取付具における傾斜面を隣接する直角の壁面間に当接させることにより、突っ張り棒の伸長による付勢力で取付具の傾斜面が押し付けられ、取付具の傾斜面と壁面の摩擦力で突っ張り棒の両端が固定されて斜めの架設状態が保持される（特許文献１参照）。
【０００６】
次に、後者の突っ張り棒と別部材となる別体タイプの取付具は、一般に流通している突っ張り棒を使用してこれを架設するためのものであり、壁面に重ねる吸盤部の表面に円軸状の軸受部を突出状に連成し、この軸受部をその軸線に対して４５°の傾斜面になるようカットし、この傾斜面に突っ張り棒の端部を支持する底の平らな収納孔を、前記傾斜面に対して直角に設けた構造となっている。
【０００７】
この取付具を用いて突っ張り棒を架設するには、先ず、入り隅コーナの隣接する直角の壁面にそれぞれ取付具を、傾斜面が対面する配置で吸着固定し、次に、別途用意した突っ張り棒を収縮させた状態で両取付具間に臨ませ、この突っ張り棒を伸長途中で両端を両取付具における収納孔に嵌め込むようにすれば、突っ張り棒の伸長による付勢力で両取付具の吸盤部が壁面に押し付けられ、軸受部で両端が保持された突っ張り棒は、壁面に対する吸盤部の吸着力と押し付け力で斜めの架設状態に固定される（特許文献２参照）。
【先行技術文献】
【特許文献】
【０００８】
【特許文献１】特開２０１４−０７３３３９号公報
【特許文献２】特開２００４−２４３０５９号公報
【発明の概要】
【発明が解決しようとする課題】
【０００９】
ところで、従来の取付具は、突っ張り棒一体タイプと別体タイプの何れにおいても、突っ張り棒の架設角度が一定に固定化され、入り隅コーナの隣接する直角の壁面間に４５°の傾斜角度でしか架設することがてできないものであり、室内空間の条件に応じた斜め角度での架設ができないという不便がある。
【００１０】
また、前者の突っ張り棒一体タイプは、手持ちの突っ張り棒や所望する長さの突っ張り棒を選んで架設することができないという不便があり、突っ張り棒の両端に取付具を固定した構造では、入り隅コーナの隣接する壁面間の直角精度が悪いと、取付具における傾斜面と壁面の接触面積が減少し、摩擦力の低減により突っ張り棒の固定強度が低下するという問題がある。
【００１１】
上記のような、接触面積が減少するのを防ぐため、特許文献１では、突っ張り棒の端部に取付具をヒンジ機構を介して揺動可能に取付け、突っ張り棒の架設時における取付具の傾斜面が壁面に追従する構造が開示されているが、このように、取付具が揺動する機構を採用すると、構造的に複雑となって製品コストが高くつくだけでなく、施工時に取付具の姿勢が定まらないので施工作業が不安定で行いにくく、更に、施工後に突っ張り棒の伸長方向の付勢力がヒンジのピンを支点にして取付具に掛かり、傾斜面の壁面への押し付け力にピンを支点とする回転力が加わり、このため、ヒンジ部分に衝撃が加わった場合、ヒンジ部分がぐらつき、突っ張り棒の固定強度が低下して外れやすくなる恐れがある。
【００１２】
これに対して、別体タイプの取付具は、手持ちの突っ張り棒がそのまま使用できると共に、必要な長さの突っ張り棒を架設することができ、予め隣接する壁面にそれぞれ取付具を固定したあと、取付具間に突っ張り棒架設すればよいので、施工作業が行いやすいと共に、構造が簡単で価格的にも有利である。
【００１３】
ところで、このような別体タイプの取付具には、上述したように、突っ張り棒の架設角度が一定に固定化されるため、実際の突っ張り棒を架設する場所の条件や状況に応じて、架設時の斜めの角度を任意に選択することができないという致命的な問題がある。
【００１４】
即ち、軸受部に設けた収納孔は軸受部の軸心に対して４５°の傾斜角度で設けられているので、入隅コーナーに対して突っ張り棒を４５°もしくはその前後の僅かな範囲の角度でしか架設することができず、しかも、収納孔の底面が平坦面に形成されているので、突っ張り棒を正確に４５°の角度でセットして架設した場合にのみ、収納孔の底面に突っ張り棒の端面全体が圧接するので、収納孔の底面に加わる突っ張り棒の伸長力で吸盤部全体を壁面に押し付け、取付具の壁面への固定が確保できると共に、突っ張り棒の安定した端部支持状態が得られることになる。
【００１５】
しかし、突っ張り棒の取付具間への架設角度が４５°から外れた状態でセットされると、収納孔の底面に対して突っ張り棒の端部は、その外周の一部が圧接するだけの状態となって端面が収納孔の底面から浮き、収納孔の底面に加わる突っ張り棒の伸長力が部分的となり、壁面に対する吸盤部の押し付け力が全体に分散されないことで取付具の固定強度が低下すると共に、端面が収納孔の底面から部分的に浮くと、突っ張り棒の端部支持が不安定となり、外力が加わることで突っ張り棒が簡単に移動し、これらの複合した条件によって突っ張り棒が脱落するという危惧が発生する。
【００１６】
そこで、この発明の課題は、別体タイプの取付具の利点を有効に生かし、突っ張り棒の架設角度を架設する場所の条件や状況に応じて任意に選択することができ、しかも、突っ張り棒の伸長力による壁面への固定強度及び突っ張り棒の架設状態が安定して得られる入り隅コーナーへの突っ張り棒の取付具を提供することにある。
【課題を解決するための手段】
【００１７】
上記のような課題を解決するため、請求項１の発明は、入り隅コーナの隣接する壁面にそれぞれ固定し、突っ張り棒の両端を支持することにより、前記入り隅コーナの隣接する壁面間に突っ張り棒を架設するための取付具において、前記突っ張り棒の端部を抜き差し自在に保持するための支持部と、この支持部を止着具によって壁面に固定する固定部とからなり、前記支持部が、突っ張り棒の端部が納まる間隔で上下に対向する対向壁と、両対向壁間に設けられ、突っ張り棒の端面を受け面で当接支持する受圧壁で、突っ張り棒の端部出し入れ側が開放した容器状に形成され、前記受圧壁の受け面が、前記支持部の開放面に対し、対向壁の面方向に沿って凹入する曲面になっているようにしたものである。
【００１８】
請求項２の発明は、上記支持部と固定部は、壁面に対して重ねる座面が同一面に形成され、前記支持部の対向壁は突っ張り棒の端部出し入れ側が傾斜辺縁となる直角三角形となり、この両対向壁間に設けられた受圧壁は、前記三角形の傾斜辺縁における両端を結ぶように、対向壁の面方向に沿って凹入する円弧状に形成され、その受け面は単一半径の曲面になっているようにしたものである。
【００１９】
請求項３の発明は、上記固定部は、支持部に対して対向壁の面方向に沿う両端に連ねて設けられ、両固定部にはそれぞれ壁面に突き刺す止着具の挿通孔が形成され、何れか一方又は両方の固定部における挿通孔は、座面に対し、突っ張り棒の端部出し入れ方向に沿って傾斜するように設けられている構成としたものである。
【００２０】
ここで、上記取付具は、支持部と固定部が硬質の合成樹脂で一体成形され、前記支持部は、一般に流通している突っ張り棒の端部が納まる大きさを有し、傾斜辺縁側の開放部分から突っ張り棒の端部を出し入れできる三角形の容器状に形成され、この支持部とその両端に連ねて設けた固定部の座面は同一平面になっている。
【００２１】
また、支持部における受圧壁は、傾斜辺縁側の開放部分から内側に向けて凹入する円弧状に形成され、この受圧壁の受け面を単一半径の曲面とすることで、支持部内に挿入した突っ張り棒の端部は、突っ張り棒の角度が４５°の場合は勿論のことそれ以外の角度でも、常に軸心を挟む二カ所の位置が受け面に圧接することになり、これによって、突っ張り棒の端部を安定よく固定でき、架設する場所の条件や状況に応じて突っ張り棒の架設角度を任意に選択できることになる。
【発明の効果】
【００２２】
この発明によると、前記突っ張り棒の端部を抜き差し自在に保持するための支持部に設けた受圧壁の受け面を、前記支持部の開放面に対して凹入する曲面に形成したので、入隅コーナーの隣接する壁面に固定した取付具間に突っ張り棒を架設したとき、突っ張り棒の端部は、架設する角度に関係なく常に軸心を挟む二カ所の位置が受け面に圧接することになり、これによって、突っ張り棒の端部を安定よく固定でき、外力が加わることで突っ張り棒が脱落するという事態の発生を防ぐことができるだけでなく、突っ張り棒の架設角度を架設する場所の条件や状況に応じて任意に選択できることになる。
【００２３】
また、入隅コーナーの隣接する壁面に取付具を固定した状態で、両取付具間に突っ張り棒を架設することができ、従来の突っ張り棒と別体タイプの取付具が有する利点を有効に生かし、突っ張り棒の架設角度の自由度が増すことで、壁面に取付具を固定する際の位置精度にあまり神経を使う必要がなくなり、突っ張り棒を取り付ける作業の容易化と能率向上を図ることができる。
【００２４】
更に、取付具には、架設した突っ張り棒の伸張力で、壁面に沿って斜めに押されて移動する力が働くが、固定部に設けた止着具の挿通孔を、座面に対して突っ張り棒の端部出し入れ方向に沿って傾斜するように設けるようにすると、挿通孔から壁面に突き刺して取付具を固定する止着具が、前記移動する方向に対して斜めに差し込まれ、取付具の移動阻止力が向上し、取付具の壁面への安定した固定状態が得られることになる。
【図面の簡単な説明】
【００２５】
【図１】この発明に係る入り隅コーナーへの突っ張り棒の取付具を示す正面図
【図２】この発明に係る入り隅コーナーへの突っ張り棒の取付具の横断平面図
【図３】この発明に係る入り隅コーナーへの突っ張り棒の取付具の斜視図
【図４】この発明に係る入り隅コーナーへの突っ張り棒の取付具を用いて突っ張り棒を架設した使用状態の横断平面図
【発明を実施するための形態】
【００２６】
以下、この発明の実施の形態を添付図面に基づいて説明する。
【００２７】
図４のように、この発明の取付具１は、室内の入り隅コーナにおける隣接する壁面ａとａにそれぞれ固定し、突っ張り棒２の両端を支持して斜めに架設するためのものであり、前記取付具１は、突っ張り棒２の端部を抜き差し自在に保持するための支持部３と、この支持部３を止着具によって壁面に固定するため、前記支持部３の両端に設けた一対の固定部４と５とからなり、支持部３と固定部４と５は、例えば、硬質の合成樹脂を用いて一体成形されている。
【００２８】
上記支持部３は、突っ張り棒２の端部出し入れ側となる傾斜辺縁３ａの部分が傾斜開口面となる直角三角形の容器状に形成され、直角三角形となって上下に対向する対向壁６、７と、両対向壁６、７間に設けられ、支持部３の傾斜開口面に対して円弧状に凹入し、突っ張り棒２の端面をその受け面８で当接支持する受圧壁９と、前記両対向壁６、７の突出辺間を結ぶ縦壁１０とからなり、両対向壁６、７と縦壁10の底辺が壁面ａに対する座面１１になっている。
【００２９】
上記受圧壁９は、直角三角形となる対向壁６、７の傾斜辺縁３ａにおける両端を結ぶように、対向壁６、７の面方向に沿って支持部３内に凹入する曲面に形成され、支持部３内の底となるその受け面８は単一半径の曲面になっている。
【００３０】
図２の場合、上記受圧壁９は、縦壁１０の先端側においてこの縦壁１０と厚みが一体化し、縦壁１０の先端側で直線面に移行していると共に、座面１１側の端部は、傾斜開口に向けて外広がりの傾斜状に屈曲しており、この座面１１側の端部に一方固定部４が外方に突出するよう連ねて設けられ、前記縦壁１０の座面１１側端部に他方固定部５が外方に突出するよう連ねて設けられている。
【００３１】
上記受圧壁９の受け面８は、組み合わせて使用する突っ張り棒２の直径に合わせてその曲率半径を設定すればよいが、一般的に流通している突っ張り棒２の直径から勘案して、例えば、２５ｍｍ程度の半径に設定すればよい。
【００３２】
上記両固定部４、５は、支持部３の上下幅方向に沿って伸びる長さを有する板状に形成され、この両固定部４、５の壁面ａに対する座面１２と１３は、両対向壁６、７と縦壁１０の底辺における座面１１と同一面になっており、前記両固定部４、５のそれぞれには、壁面ａに突き刺す有頭ピンや有頭針のごとき止着具１４の挿通孔１５が複数ずつ設けられ、各挿通孔１５は止着具１４の頭部が表面から突出しないようにする段付き孔になっている。
【００３３】
図示の場合、一方固定部４に設ける挿通孔１５は座面１２に対し、支持部３に対する突っ張り棒２の端部出し入れ方向に沿って傾斜させ、他方固定部５に設ける挿通孔１５は座面１３に対して直角とし、壁面ａに突き刺して支持具１を固定する止着具１４を斜めに差し込むことで、壁面ａに対する取付具１の移動阻止力を向上させるようにしているが、この傾斜挿通孔１５は、両固定部４、５の何れに設けてもよく、また、両固定部４、５に設けるようにしてもよい。
【００３４】
なお、一般に流通している突っ張り棒２は、伸縮パイプの内部にスプリングを組み込み、常時伸張する方向の弾性が付勢され、両端に固定したキャップ２ａの端部は円形の端面になっている。
【００３５】
この発明の支持具は上記のような構成であり、入隅コーナーに突っ張り棒を斜めに架設するには、同じ構造となる一対の支持具１を用意し、入隅コーナーの隣接する壁面ａとａに対して一対の支持具１を、その支持部３の開口面が互いに対向するよう上下を逆にした配置で固定する。
【００３６】
上記支持具１の壁面ａへの固定は、座面１１、１２、１３を壁面ａに重ね、両固定部４と５に設けた挿通孔１５から壁面ａに止着具１４を差し込むことで行い、両支持具１の配置間隔は架設せんとする突っ張り棒２の伸縮ストローク範囲内に適合するよう設定し、また、固定位置は架設せんとする突っ張り棒の所望する傾斜角度が得られる位置にする。
【００３７】
なお、支持具１の壁面ａへの固定は、図示の場合、両固定部４と５に設けた挿通孔１５から止着具１４を差し込むようにしたが、両取付具１の合成樹脂による成型時に、両固定部４と５に対する挿通孔１５の形成を省き、代わりに、挿通孔１５を形成するための位置に、固定部４と５の座面１２、１３から針軸を突出させ、止着具１４を予め埋め込んで固定部４及び５と一体化した構造を採用することができ、壁面ａに支持具１を固定するには、支持具１の座面１１、１２、１３を壁面ａに向けて押し付け、このとき、止着具１４の針軸を壁面ａへ突き刺すようにすればよく、このような止着具１４の一体化構造は、支持具１の壁面ａに対する固定がワンタッチで能率良く行えるという利点がある。
【００３８】
次に、手で突っ張り棒２を収縮状態に保持して両取付具１の支持部３間に臨ませ、この状態で突っ張り棒２を伸張させながらその両端部を支持部３の内部に納め、手による突っ張り棒２の保持を解くと、伸張弾性が残った状態にある突っ張り棒２は、その両端部に固定したキャップ２ａの端面が両取付具１における受圧壁９の受け面８に圧接し、両受圧壁９間で突っ張ることで突っ張り棒２の架設状態が保持される。
【００３９】
図４は、取付具１における受圧壁９の受け面８、これに対する突っ張り棒２のキャップ２ａにおける端面の圧接部分の関係を示し、受圧壁９の受け面８は、上下対向壁６と７間において垂直状態で、支持部３における開放部分から内側に向けて凹入する円弧状となり、この受圧壁９の受け面８が単一半径の曲面になっているので、突っ張り棒２のキャップ２ａにおける端面は、常に軸心を挟む前後二カ所の位置が受け面８に圧接することになり、この二点圧接によって突っ張り棒２の端部支持が安定し、突っ張り棒２をガタツキの発生がない状態で架設することができる。
【００４０】
上記受圧壁９の受け面８は、単一半径の曲面になっているので、入隅コーナーの隣接する壁面ａとａ間に架設する突っ張り棒２の角度は、４５°の場合は勿論のことそれ以外の角度でも、常に軸心を挟む前後二カ所の位置が受け面８に圧接することになり、図４に示す例のように、架設する場所の条件や状況に応じて突っ張り棒２の架設角度を広範囲で任意に選択できることになる。
【００４１】
このように、突っ張り棒２を傾斜状に架設するとき、壁面ａとａに対する両取付具１の固定位置に精度が要求されないので、取付作業が行いやすいという利点がある。
【００４２】
なお、突っ張り棒２の架設状態において、突っ張り棒２の端部を保持する支持部３は、上下に対向壁６と７が位置することになり、突っ張り棒２に上又は下向きの余分な外力が加わった場合でも、突っ張り棒２が両取付具１間から脱落しないように保持することができる。
【００４３】
また、傾斜状に架設した突っ張り棒２の伸張力で、取付具１は壁面ａに沿って斜めに押されて移動する力が働くが、取付具１における一方固定部４の挿通孔１５から壁面ａに、止着具１４を前記移動する方向に対して斜めに差し込むことで、取付具１の移動阻止力が向上し、取付具１の壁面ａへの安定した固定状態が得られることになる。
【符号の説明】
【００４４】
１      取付具
２      突っ張り棒
３      支持部
３ａ    傾斜辺縁
４      固定部
５      固定部
６      対向壁
７      対向壁
８      受け面
９      受圧壁
１０    縦壁
１１    座面
１２    座面
１３    座面
１４    止着具
１５    挿通孔
【図１】
2017185039.tif 000003
【図２】
2017185039.tif 000004
【図３】
2017185039.tif 000005
【図４】
2017185039.tif 000006